【手続補正書】
【提出日】平成21年8月26日(2009.8.26)
【手続補正１】
【補正対象書類名】特許請求の範囲
【補正対象項目名】全文
【補正方法】変更
【補正の内容】
【特許請求の範囲】
【請求項１】
下記の成分からなる潤滑油添加剤組成物：
Ｉ）下記からなる方法により製造された油溶性の潤滑油添加剤：
（Ａ）下記の共重合体のうちの少なくとも一種を：
（ｉ）下記の成分を含む成分をラジカル共重合させることにより得られた共重合体：
（ａ）少なくとも一種のモノエチレン不飽和Ｃ3−Ｃ28モノカルボン酸もしくはそのエステル、またはＣ4−Ｃ28ジカルボン酸、その無水物もしくはエステル、
（ｂ）炭素原子２〜４０個を含む少なくとも一種の１−オレフィン、あるいは炭素原子４〜３６０個を含み、かつビニル、ビニリデン又はアルキルビニリデン基またはそれらの混合物の形で共重合可能な末端基を持つ少なくとも一種のポリオレフィン、および
（ｃ）(ａ)及び(ｂ)の単量体と共重合可能で、かつ下記からなる群より選ばれる少なくとも一種のモノオレフィン化合物：
（１）アルキル基がヒドロキシル、アミノ、ジアルキルアミノまたはアルコキシで置換されているかまたは未置換で、かつ炭素原子１〜４０個を含む、アルキルビニルエーテルおよびアリルアルキルエーテル、
（２）アルキル置換基が炭素原子１〜４０個を含む、炭素原子数３〜１０のモノエチレン不飽和モノ又はジカルボン酸のアルキルアミン及びＮ−アルキルアミド、
（３）炭素原子数１〜８のカルボン酸のＮ−ビニルカルボキサミド、
（４）Ｎ−ビニル置換窒素含有ヘテロ環化合物、および
（５）炭素原子２〜４０個を含む少なくとも一種の１−オレフィン、もしくは炭素原子４〜３６０個を含み、かつビニル、ビニリデン又はアルキルビニリデン基またはそれらの混合物の形で共重合可能な末端基を持つ少なくとも一種のポリオレフィン、ただし、用いるオレフィンは(ｉ)(ｂ)で用いるオレフィンと同一ではない、
（ii）化合物(ｉ)(ａ)と化合物(ｉ)(ｂ)をラジカル開始剤の存在下で反応させることにより得られた共重合体；
（Ｂ）エーテルポリアミン、ポリエーテルポリアミン、ポリエーテルアミノアルコール、ポリエーテルアミノチオールおよびポリエーテルポリオールからなる群より選ばれる少なくとも一種のエーテル化合物；および
（Ｃ）少なくとも一種の芳香族アミンと；
反応させる方法、
並びに
II）Ｉの潤滑油添加剤以外の少なくとも一種の無灰分散剤。
【請求項２】
共重合体(iii)(ｂ)において、該共重合体(ｉ)または共重合体(ii)または両者を成分(Ｃ)の存在下で、化合物(ｉ)(ａ)と化合物(ｉ)(ｂ)または(ｉ)(ｃ)との非ラジカル触媒反応
生成物と接触させる請求項１に記載の潤滑油添加剤組成物。
【請求項３】
エーテル化合物(Ｂ)がポリエーテルポリアミンである請求項１に記載の潤滑油添加剤組成物。
【請求項４】
ポリエーテルポリアミンが、各アルキレン単位が別個に炭素原子２〜５個を含むポリオキシアルキレンジアミンである請求項３に記載の潤滑油添加剤組成物。
【請求項５】
オキシアルキレン部がオキシエチレンまたはオキシプロピレンまたはそれらの混合物である請求項４に記載の潤滑油添加剤組成物。
【請求項６】
ポリエーテルポリアミンがポリオキシエチレンジアミンである請求項５に記載の潤滑油添加剤組成物。
【請求項７】
共重合体が共重合体(ｉ)である請求項１に記載の潤滑油添加剤組成物。
【請求項８】
共重合体が共重合体(ii)である請求項１に記載の潤滑油添加剤組成物。
【請求項９】
共重合体(ii)が、無水マレイン酸とポリイソブチレンとのラジカル触媒反応により得られたポリＰＩＢＳＡである請求項８に記載の潤滑油添加剤組成物。
【請求項１０】
共重合体が共重合体(iii)である請求項１に記載の潤滑油添加剤組成物。
【請求項１１】
芳香族アミンが、Ｎ−アリールフェニレンジアミン、アミノカルバゾール、アミノ−インダゾリノン、アミノメルカプトトリアゾール、アミノペリミジンおよびアリールオキシフェニレンアミンからなる群より選ばれる請求項１に記載の潤滑油添加剤組成物。
【請求項１２】
芳香族アミンがＮ−アリールフェニレンジアミンである請求項１１に記載の潤滑油添加剤組成物。
【請求項１３】
Ｎ−アリールフェニレンジアミンがＮ−フェニルフェニレンジアミンである請求項１２に記載の潤滑油添加剤組成物。
【請求項１４】
共重合体(ｉ)の化合物(ｉ)(ｂ)が、数平均分子量（Ｍn）が２３００のポリイソブテンである請求項１に記載の潤滑油添加剤組成物。
【請求項１５】
(ｉ)(ａ)がジカルボン酸、その無水物もしくはエステルである請求項１に記載の潤滑油添加剤組成物。
【請求項１６】
(ｉ)(ａ)が無水マレイン酸もしくはそのエステルである請求項１５に記載の潤滑油添加剤組成物。
【請求項１７】
(ｉ)(ｃ)のモノオレフィンが１−オレフィンである請求項１に記載の潤滑油添加剤組成物。
【請求項１８】
少なくとも一種の無灰分散剤がホウ酸化分散剤である請求項１に記載の潤滑油添加剤組成物。
【請求項１９】
少なくとも一種の無灰分散剤がエチレンカーボネート処理分散剤である請求項１に記載の潤滑油添加剤組成物。
【請求項２０】
ホウ酸化分散剤がホウ酸化ビスコハク酸イミドである請求項１８に記載の潤滑油添加剤組成物。
【請求項２１】
エチレンカーボネート処理分散剤がエチレンカーボネートで処理されたビスコハク酸イミドである請求項１９に記載の潤滑油添加剤組成物。
【請求項２２】
少なくとも一種の無灰分散剤が、ホウ酸化分散剤とエチレンカーボネート処理分散剤との混合物である請求項１に記載の潤滑油添加剤組成物。
【請求項２３】
ホウ酸化分散剤とエチレンカーボネート処理分散剤との混合物が、ホウ酸化ビスコハク酸イミドとエチレンカーボネート処理ビスコハク酸イミドとの混合物である請求項２２に記載の潤滑油添加剤組成物。
【請求項２４】
主要量の潤滑粘度の油、および少量の下記の成分からなる潤滑油添加剤組成物を含む潤滑油組成物：
Ｉ）下記からなる方法により製造された油溶性の潤滑油添加剤：
（Ａ）下記の共重合体のうちの少なくとも一種を：
（ｉ）下記からなる成分をラジカル共重合させることにより得られた共重合体：
（ａ）少なくとも一種のモノエチレン不飽和Ｃ3−Ｃ28モノカルボン酸又はそのエ
ステル、またはＣ4−Ｃ28ジカルボン酸、その無水物もしくはエステル、
（ｂ）炭素原子２〜４０個を含む少なくとも一種の１−オレフィン、もしくは炭素原子４〜３６０個を含み、かつビニル、ビニリデン又はアルキルビニリデン基またはそれらの混合物の形で共重合可能な末端基を持つ少なくとも一種のポリオレフィン、および
（ｃ）(ａ)及び(ｂ)の単量体と共重合可能で、かつ下記からなる群より選ばれる少なくとも一種のモノオレフィン化合物：
（１）アルキル基がヒドロキシル、アミノ、ジアルキルアミノまたはアルコキシで置換されているかまたは未置換で、かつ炭素原子１〜４０個を含む、アルキルビニルエーテルおよびアリルアルキルエーテル、
（２）アルキル置換基が炭素原子１〜４０個を含む、炭素原子数３〜１０のモノエチレン不飽和モノ又はジカルボン酸のアルキルアミン及びＮ−アルキルアミド、
（３）炭素原子数１〜８のカルボン酸のＮ−ビニルカルボキサミド、
（４）Ｎ−ビニル置換窒素含有ヘテロ環化合物、および
（５）炭素原子２〜４０個を含む少なくとも一種の１−オレフィン、もしくは炭素原子４〜３６０個を含み、かつビニル、ビニリデン又はアルキルビニリデン基またはそれらの混合物の形で共重合可能な末端基を持つ少なくとも一種のポリオレフィン、ただし、用いるオレフィンは(ｉ)(ｂ)で用いるオレフィンと同一ではない、
（ii）化合物(ｉ)(ａ)と化合物(ｉ)(ｂ)をラジカル開始剤の存在下で反応させることにより得られた共重合体；
（Ｂ）エーテルポリアミン、ポリエーテルポリアミン、ポリエーテルアミノアルコール、ポリエーテルアミノチオールおよびポリエーテルポリオールからなる群より選ばれる少なくとも一種のエーテル化合物；および
（Ｃ）少なくとも一種の芳香族アミンと；
反応させる方法、
並びに
II）Ｉの潤滑油添加剤以外の少なくとも一種の無灰分散剤。
【請求項２５】
少なくとも一種の無灰分散剤がホウ酸化分散剤である請求項２４に記載の潤滑油組成物。
【請求項２６】
少なくとも一種の無灰分散剤がエチレンカーボネート処理分散剤である請求項２４に記載の潤滑油組成物。
【請求項２７】
ホウ酸化分散剤がホウ酸化ビスコハク酸イミドである請求項２５に記載の潤滑油組成物。
【請求項２８】
エチレンカーボネート処理分散剤がエチレンカーボネート処理ビスコハク酸イミドである請求項２６に記載の潤滑油組成物。
【請求項２９】
少なくとも一種の無灰分散剤が、ホウ酸化分散剤とエチレンカーボネート処理分散剤との混合物である請求項２４に記載の潤滑油組成物。
【請求項３０】
ホウ酸化分散剤とエチレンカーボネート処理分散剤との混合物が、ホウ酸化ビスコハク酸イミドとエチレンカーボネート処理ビスコハク酸イミドとの混合物である請求項２９に記載の潤滑油組成物。
【請求項３１】
０．１質量％乃至５．０質量％のホウ酸化ビスコハク酸イミドと、０．１質量％乃至５．０質量％のエチレンカーボネート処理ビスコハク酸イミドとを含む請求項３０に記載の潤滑油組成物。
【請求項３２】
１．０質量％乃至５．０質量％のホウ酸化ビスコハク酸イミドと、１．０質量％乃至４．０質量％のエチレンカーボネート処理ビスコハク酸イミドとを含む請求項３１に記載の潤滑油組成物。
【請求項３３】
１．０質量％乃至４．０質量％のホウ酸化ビスコハク酸イミドと、２．０質量％乃至３．０質量％のエチレンカーボネート処理ビスコハク酸イミドとを含む請求項３２に記載の潤滑油組成物。
【請求項３４】
さらに、少なくとも一種の過塩基性清浄剤を含む請求項２４に記載の潤滑油組成物。
【請求項３５】
さらに、少なくとも一種の耐摩耗性添加剤を含む請求項２４に記載の潤滑油組成物。
【請求項３６】
さらに、少なくとも一種の酸化防止添加剤を含む請求項２４に記載の潤滑油組成物。
【請求項３７】
下記からなる潤滑油添加剤組成物の製造方法：
Ｉ）下記からなる方法により製造された油溶性の潤滑油添加剤と：
（Ａ）下記の共重合体のうちの少なくとも一種を：
（ｉ）下記からなる成分をラジカル共重合させることにより得られた共重合体：
（ａ）少なくとも一種のモノエチレン不飽和Ｃ3−Ｃ28モノカルボン酸又はそのエ
ステル、またはＣ4−Ｃ28ジカルボン酸、その無水物もしくはエステル、
（ｂ）炭素原子２〜４０個を含む少なくとも一種の１−オレフィン、もしくは炭素原子４〜３６０個を含み、かつビニル、ビニリデン又はアルキルビニリデン基またはそれらの混合物の形で共重合可能な末端基を持つ少なくとも一種のポリオレフィン、および
（ｃ）(ａ)及び(ｂ)の単量体と共重合可能で、かつ下記からなる群より選ばれる少なくとも一種のモノオレフィン化合物：
（１）アルキル基がヒドロキシル、アミノ、ジアルキルアミノまたはアルコキシで置換されているかまたは未置換で、かつ炭素原子１〜４０個を含む、アルキルビニルエーテルおよびアリルアルキルエーテル、
（２）アルキル置換基が炭素原子１〜４０個を含む、炭素原子数３〜１０のモノエチレン不飽和モノ又はジカルボン酸のアルキルアミン及びＮ−アルキルアミド、
（３）炭素原子数１〜８のカルボン酸のＮ−ビニルカルボキサミド、
（４）Ｎ−ビニル置換窒素含有ヘテロ環化合物、および
（５）炭素原子２〜４０個を含む少なくとも一種の１−オレフィン、もしくは炭素原子４〜３６０個を含み、かつビニル、ビニリデン又はアルキルビニリデン基またはそれらの混合物の形で共重合可能な末端基を持つ少なくとも一種のポリオレフィン、ただし、用いるオレフィンは(ｉ)(ｂ)で用いるオレフィンと同一ではない、
（ii）化合物(ｉ)(ａ)と化合物(ｉ)(ｂ)をラジカル開始剤の存在下で反応させることにより得られた共重合体；
（Ｂ）エーテルポリアミン、ポリエーテルポリアミン、ポリエーテルアミノアルコール、ポリエーテルアミノチオールおよびポリエーテルポリオールからなる群より選ばれる少なくとも一種のエーテル化合物；および
（Ｃ）少なくとも一種の芳香族アミンと；
反応させる方法、
II）Ｉの潤滑油添加剤以外の少なくとも一種の無灰分散剤と、
混合する。
【請求項３８】
少なくとも一種の無灰分散剤がホウ酸化分散剤である請求項３７に記載の潤滑油添加剤組成物の製造方法。
【請求項３９】
少なくとも一種の無灰分散剤がエチレンカーボネート処理分散剤である請求項３７に記載の潤滑油添加剤組成物の製造方法。
【請求項４０】
ホウ酸化分散剤がホウ酸化ビスコハク酸イミドである請求項３８に記載の潤滑油添加剤組成物の製造方法。
【請求項４１】
エチレンカーボネート処理分散剤がエチレンカーボネート処理ビスコハク酸イミドである請求項３９に記載の潤滑油添加剤組成物の製造方法。
【請求項４２】
少なくとも一種の無灰分散剤が、ホウ酸化分散剤とエチレンカーボネート処理分散剤との混合物である請求項３７に記載の潤滑油添加剤組成物の製造方法。
【請求項４３】
請求項１に記載の潤滑油添加剤組成物を、主要量の潤滑粘度の油と混合することからなる潤滑油組成物の製造方法。
【請求項４４】
内燃機関内のスス分散性を改善する方法であって、主要量の潤滑粘度の油および有効量の請求項１に記載の潤滑油添加剤組成物を含む潤滑油組成物を用いて、内燃機関を作動させることからなる方法。